(57)【要約】【課題】設置する栽培容器を大幅に増大させて栽培面積を増大させることにより大量栽培することが可能な回転式の水耕栽培装置を提供する。【解決手段】水耕栽培容装置は、複数の環状フレームが同心円状に一定間隔をおいて配置された回転輪の中心軸の両端が回転輪を挟んで対向して立設されている一対の支柱に垂直方向に回転可能に軸支され、各環状フレームの両側に栽培容器が周方向に間隔をおいて回転可能に吊り下げられて水平に維持され、栽培容器には養液供給装置から供給される養液を栽培容器内へ流入させる養液流入パイプが設けられるとともに、栽培容器の排液口からオーバーフローする過剰の養液を排出する養液排出パイプが設けられ、養液排出パイプの下端に傾動可能な傾動容器が取り付けられている水耕栽培容装置。【選択図】図１
0003162636.tif 000002
【実用新案登録請求の範囲】
【請求項１】
複数の環状フレームが同心円状に一定間隔をおいて配置された回転輪の中心軸の両端が回転輪を挟んで対向して立設されている一対の支柱に垂直方向に回転可能に軸支され、
各環状フレームの両側に栽培容器が周方向に間隔をおいて回転可能に吊り下げられて水平に維持され、
栽培容器には養液供給装置から供給される養液を栽培容器内へ流入させる養液流入パイプが設けられるとともに、
栽培容器の排液口からオーバーフローする過剰の養液を排出する養液排出パイプが設けられ、養液排出パイプの下端に傾動可能な傾動容器が取り付けられていることを特徴とする水耕栽培容装置。
【請求項２】
回転輪の片側に、作業者を乗せるバケットを備えたエレベータが配置されていることを特徴とする請求項１記載の水耕栽培容装置。
【考案の詳細な説明】
【技術分野】
【０００１】
本考案は、多数の栽培装置を有する水耕栽培装置に関する。
【背景技術】
【０００２】
土を使わずに必要な栄養・水分を液肥として与えて野菜・花木等の植物を溶液栽培する水耕栽培が普及している。水耕栽培には、鉱物より造った人工培地を使用した方法と、根を直接溶液の中で育成させ栽培する方法があるが、通常、ビニールハウス内や工場内で実施されている。栽培面積を増大させて大量栽培するため、栽培容器を回転式にした水耕栽培装置が提案されている特許文献１、２参照）。
【０００３】
前記特許文献１には、機台に軸支した回動体のアームの間に回転自在に吊持した複数の栽培槽と、回動体により回動する栽培槽へ定量の培養液を供給する培養液送入管と、栽培槽へ供給した量の培養液を栽培槽より排出する定量排水手段とより構成した栽培装置が記載されている。栽培槽の回動により、栽培される野菜は日射・温度・湿度等の育成環境の条件を全て均一に受けることができるというものである。
【０００４】
また、前記特許文献２には、支持台の軸受部によって支えられる軸に回転わくが一体に設けられており、養水によって植物を栽培する養水器の両端が回転わくに回転自在に支持されている植物栽培装置が記載されている。この植物栽培装置は、回転わくに設けた各養水器を回動させて移動させることにより各養水器の植物に均等に光を当てることができるというものである。
【先行技術文献】
【特許文献】
【０００５】
【特許文献１】実開昭６１−１３１７４７号公報
【特許文献２】実開昭５８−１２１５５２号公報
【考案の概要】
【考案が解決しようとする課題】
【０００６】
前記特許文献１及び２に記載された栽培装置では、各栽培槽を回動体の間に回転自在に吊持して配置する構造であるため、設置する栽培槽が限られるため、栽培面積を大幅に増大させて単位栽培面積当たりの植物の栽培量を大幅に増やし、生産効率を向上させることが困難である。
【０００７】
そこで、本考案は、設置する栽培容器を大幅に増大させて栽培面積を増大させることにより大量栽培することが可能な回転式の水耕栽培装置を提供するものである。
【課題を解決するための手段】
【０００８】
請求項１記載の水耕栽培容装置は、複数の環状フレームが同心円状に一定間隔をおいて配置された回転輪の中心軸の両端が回転輪を挟んで対向して立設されている一対の支柱に垂直方向に回転可能に軸支され、各環状フレームの両側に栽培容器が周方向に間隔をおいて回転可能に吊り下げられて水平に維持され、栽培容器には養液供給装置から供給される養液を栽培容器内へ流入させる養液流入パイプが設けられるとともに、栽培容器の排液口からオーバーフローする過剰の養液を排出する養液排出パイプが設けられ、養液排出パイプの下端に傾動可能な傾動容器が取り付けられていることを特徴とする。
【０００９】
請求項２記載の水耕栽培容装置は、請求項１記載の水耕栽培容装置において、回転輪の片側に、作業者を乗せるバケット９を備えたエレベータが配置されていることを特徴とする。
【考案の効果】
【００１０】
本考案は、耕栽培容器を多段式で且つ回転式にして水耕栽培装置を高層化して設置する栽培容器を大幅に増大させて栽培面積を増大することにより栽培面積を拡大して土地単位面積当りの作物収穫量を向上させることが可能となる。
【図面の簡単な説明】
【００１１】
【図１】本考案の水耕栽培装置の正面図である。
【図２】本考案の水耕栽培装置の側面図である。
【図３】栽培容器の養液の給液方式の一例を示す図である。
【図４】栽培容器の養液の排液方式の一例を示す図である。
【考案を実施するための形態】
【００１２】
本考案の水耕栽培装置について図面を参照しながら説明する。
【実施例】
【００１３】
図１及び図２に示すように、本考案の水耕栽培容装置は、多数の栽培容器１を吊り下げた回転輪２が回転可能に支柱３に保持されている。
【００１４】
回転輪２は複数の環状フレーム４が同心円状に一定間隔をおいて配置される。環状フレーム４は回転輪２の中心軸５に固定された円板６から放射状に配置された放射状フレーム７に固定されて支持される。
【００１５】
回転輪２を挟んで土台に一対の支柱３が対向して立設される。支柱３の上部には軸受が設けられ、回転輪２の中心軸５の両端が回転可能に軸支される。中心軸５は、モータなどの回転駆動手段８により回転する。
【００１６】
各環状フレーム４の両側には、栽培容器１が周方向に間隔をおいて回転可能に吊り下げられる。環状フレーム４の両側で且つ複数の環状フレーム４に複数の栽培容器１を配置することが可能になるので、栽培面積を大幅に増加させることが可能となる。なお、栽培容器１は回転可能に吊り下げられているので、環状フレーム４が回転しても水平を保った状態で移動させることができる。
【００１７】
回転輪２の片側には、栽培容器１の保守点検作業などを行うため、作業者を乗せるバケット９を備えたエレベータ１０が配置されている。バケット９は、これに固定されたワイヤ１１をウインチ１２で巻き取り巻き戻しして昇降させる。
【００１８】
図３及び図４において、栽培容器１には養液供給装置の養液供給パイプ１３から供給される養液１４が流入する養液流入パイプ１５が設けられている。養液流入パイプ１３の上端は養液供給装置の供給パイプ１３から養液を受け入れやすいように口をやや広くした養液受入口１６が設けられ、下端は栽培容器１内へ開口している。
【００１９】
養液供給パイプ１３は、各環状フレーム４の栽培容器１が回転により回転輪２の中心軸５の下側に位置した際に、各環状フレーム４の栽培容器１の養液受入口１６の上方に位置するように配置する。養液供給パイプ１３が養液受入口１６上方に位置すると、センサなど電気的手段あるいはレバーなどの機械的手段で検知して弁（図示せず）を開いて、一定量の養液を供給できるようにする。
【００２０】
各栽培容器１内の養液は一定ではないので、養液が供給された際に、栽培容器１内の養液を一定レベルに維持するため、栽培容器１の一定レベルの排液口１７からオーバーフローする過剰の養液を排出する養液排出パイプ１８が設けられている。排液で栽培している植物を濡らしてはいけないので、養液排出パイプ１８から排出される排液は、養液排出パイプ１８の下端に回転自在に取り付けられた傾動容器１９に排出される。傾動容器１９が栽培容器１の回転にともなって下方に移動する際に、傾動容器１９はストッパー２０により栽培容器１の回転と逆回転方向の力が作用して傾動し、傾動容器１９内の排液が排液パイプ２１の排液受入口２２へ移される。
【符号の説明】
【００２１】
１：栽培容器
２：回転輪
３：支柱
４：環状フレーム
５：中心軸
６：円板
７：放射状フレーム
８：回転駆動手段
９：バケット
１０：エレベータ
１１：ワイヤ
１２：ウインチ
１３：養液供給パイプ
１４：養液
１５：養液流入パイプ
１６：養液受入口
１７：排液口
１８：養液排出パイプ
１９：傾動容器
２０：ストッパー
２１：排液パイプ
２２：排液受入口
【図１】
0003162636.tif 000003
【図２】
0003162636.tif 000004
【図３】
0003162636.tif 000005
【図４】
0003162636.tif 000006